(57)【要約】【課題】複数の層が積層されてなる情報記録媒体において、外部から視認不可能な領域に識別情報を形成し、その識別情報を用いて非破壊管理を行う。【解決手段】インレット１１０が中間層１２０ａ，１２０ｂ及び表面シート１３０ａ，１３０ｂに挟まれて構成される情報記録媒体において、インレット１１０に、Ｘ線により検出可能な材料からなるＡｇ層１１６が表面に形成された識別情報領域１１３を設け、かつ、そのＡｇ層１１６を、所定の情報が表現される形状にレーザにより加工する。【選択図】　　図１
2004021701.tif 000002
【特許請求の範囲】
【請求項１】
コア層を挟むように複数の層が積層されてなる情報記録媒体であって、
前記コア層は、Ｘ線により検出可能な材料からなる層が表面に形成された領域を有し、前記層は、所定の情報が表現される形状にレーザにより加工されていることを特徴とする情報記録媒体。
【請求項２】
請求項１に記載の情報記録媒体において、
前記層は、複数の穴の羅列により前記所定の情報が表現される形状に加工されていることを特徴とする情報記録媒体。
【請求項３】
請求項１または請求項２に記載の情報記録媒体において、
前記材料は、銀であることを特徴とする情報記録媒体。
【請求項４】
請求項３に記載の情報記録媒体において、
前記コア層の一方の面に形成されたコイル状のアンテナと、
前記コア層のアンテナが形成された面に前記アンテナと接続されるように搭載されたＩＣモジュールとを有し、
前記層は、前記コア層のアンテナが形成された面とは反対側の面において、前記アンテナの一端及び前記ＩＣモジュールと導通部分を介して接続されるように形成されていることを特徴とする情報記録媒体。
【請求項５】
請求項４に記載の情報記録媒体の製造方法であって、
前記コア層に前記アンテナを形成する工程と、
前記コア層に前記材料からなる層を形成する工程と、
前記コア層に前記ＩＣモジュールを搭載する工程と、
前記ＩＣモジュールに書き込まれた情報を読み取る工程と、
前記ＩＣモジュールから読み取られた情報が表現される形状に前記層をレーザにより加工する工程とを有することを特徴とする情報記録媒体の製造方法。
【請求項６】
コア層を挟むように複数の層が積層されてなる情報記録媒体であって、
前記コア層は、所定の情報が表現される形状に凹部が形成されていることを特徴とする情報記録媒体。
【請求項７】
請求項６に記載の情報記録媒体において、
前記コア層の一方の面に形成されたコイル状のアンテナと、
前記コア層のアンテナが形成された面に前記アンテナと接続されるように搭載されたＩＣモジュールとを有することを特徴とする情報記録媒体。
【請求項８】
請求項７に記載の情報記録媒体の製造方法であって、
前記コア層に前記アンテナを形成する工程と、
前記コア層に前記ＩＣモジュールを搭載する工程と、
前記ＩＣモジュールに書き込まれた情報を読み取る工程と、
前記ＩＣモジュールから読み取られた情報が表現される形状に、前記凹部を前記コア層に形成する工程とを有することを特徴とする情報記録媒体の製造方法。
【発明の詳細な説明】
【０００１】
【発明の属する技術分野】
本発明は、情報が記録されたカード等の情報記録媒体及びその製造方法に関する。
【０００２】
【従来の技術】
近年、情報化社会の進展に伴い、カード等の情報記録媒体に所定の情報を書き込み、情報が書き込まれたカードによって個人認証を行うサービスやショッピングを利用可能とするサービス等が行われている。このようなサービスにおいては、予め所定のカードにその用途に応じて決められた情報を書き込んでおき、サービスを利用する場合に、カードに書き込まれた情報を読み取り、読み取った情報を用いてサービスの提供が行われる。
【０００３】
このような情報が書き込まれるカードとしては、様々なものが挙げられるが、最も簡単な構造のものとして表面に情報が印字されただけのものから、構造的に複雑なものとしてＩＣが埋め込まれたＩＣカード等がある。これらのカードにおいては、書き込まれた情報が、カードに対する情報の書き込み方法に応じた読み取り方法によって読み取られることになる。例えば、表面にバーコード情報が印字されたカードにおいては、表面にバーコードリーダを翳すことによりバーコードとして書き込まれた情報が読み取られ、また、表面に磁気ストライプが貼付されたカードにおいては、磁気により情報を読み取る専用の読取装置によって磁気ストライプに書き込まれた情報が読み取られ、さらに、ＩＣが埋め込まれたカードにおいては、ＩＣから電気的に情報を読み取る専用の読取装置によってＩＣに書き込まれた情報が読み取られる。
【０００４】
上述したようなカードの中でも、ＩＣが埋め込まれたカードにおいては、書き込み可能な情報量が多く、さらに、カードに対して非接触状態にて情報の書き込み及び読み出しを行うことが可能なＩＣが埋め込まれた非接触型ＩＣカードにおいてはその利便性が優れているため、急速な普及が進みつつある。
【０００５】
図７は、従来の非接触型ＩＣカードの一例を示す図であり、（ａ）は表面構造を示す図、（ｂ）は内部構造を示す図、（ｃ）は積層構造を示す図である。
【０００６】
本従来例は図７に示すように、樹脂シート７１５上において、外部からの情報の書き込み及び読み出しが可能なＩＣモジュール７１１が搭載されるとともに、接点７１４を介してＩＣモジュール７１１と接続され、外部に設けられた情報書込／読出装置（不図示）からの電磁誘導によりＩＣモジュール７１１に電流を供給し、ＩＣモジュール７１１に対する情報の書き込み及び読み出しを非接触状態にて行うための導電性のアンテナ７１２がコイル状に形成されたインレット７１０と、ＰＥＴ等からなり、インレット７１０を挟むように積層された中間層７２０ａ，７２０ｂと、透明フィルム層からなり、互いに積層されたインレット７１０と中間層７２０ａ，７２０ｂとを挟むように積層された表面シート７３０ａ，７３０ｂとから構成されており、インレット７１０と中間層７２０ａ，７２０ｂ、並びに、中間層７２０ａ，７２０ｂと表面シート７３０ａ，７３０ｂとはそれぞれ接着剤層（不図示）によって互いに接着されている。
【０００７】
上記のように構成された非接触型ＩＣカード７００においては、外部に設けられた情報書込／読出装置に近接すると、情報書込／読出装置からの電磁誘導によりアンテナ７１２に電流が流れ、この電流が接点７１４を介してＩＣモジュール７１１に供給され、それにより、非接触状態において、情報書込／読出装置からＩＣモジュール７１１に情報が書き込まれたり、ＩＣモジュール７１１に書き込まれた情報が情報書込／読出装置にて読み出されたりする。
【０００８】
【発明が解決しようとする課題】
一般的にカード等の情報記録媒体においては、その表面にロット番号等を印字しておき、このロット番号を用いて製品の管理が行われている。
【０００９】
ここで、上述したようなＩＣが埋め込まれた非接触型ＩＣカードにおいては、ＩＣモジュールとアンテナとの接続不良や、ＩＣモジュール自体の動作不良が発生する虞れがあるため、樹脂シート上にＩＣモジュールが搭載されてなるインレット単体についても管理を行うことが好ましい。
【００１０】
しかしながら、インレットは他の層によって外部からは視認不可能となっており、インレットにロット番号を印字した場合非破壊管理を行うことができないため、実際には、カードの表面に印字されたカードとしてのロット番号を用いて管理されることになり、インレット単体で管理することができないという問題点がある。
【００１１】
また、カードを管理するためのロット番号がカードの表面に印字されているため、カード表面のデザイン性を損ねたり、そのためのスペースを設けなければならなかったりする等の問題点がある。
【００１２】
本発明は、上述したような従来の技術が有する問題点に鑑みてなされたものであって、複数の層が積層されてなる情報記録媒体において、外部から視認不可能な領域に識別情報を形成し、その識別情報を用いて非破壊管理を行うことができる情報記録媒体及びその製造方法を提供することを目的とする。
【００１３】
【課題を解決するための手段】
上記目的を達成するために本発明は、
コア層を挟むように複数の層が積層されてなる情報記録媒体であって、
前記コア層は、Ｘ線により検出可能な材料からなる層が表面に形成された領域を有し、前記層は、所定の情報が表現される形状にレーザにより加工されていることを特徴とする。
【００１４】
また、前記層は、複数の穴の羅列により前記所定の情報が表現される形状に加工されていることを特徴とする。
【００１５】
また、前記材料は、銀であることを特徴とする。
【００１６】
また、前記コア層の一方の面に形成されたコイル状のアンテナと、
前記コア層のアンテナが形成された面に前記アンテナと接続されるように搭載されたＩＣモジュールとを有し、
前記層は、前記コア層のアンテナが形成された面とは反対側の面において、前記アンテナの一端及び前記ＩＣモジュールと導通部分を介して接続されるように形成されていることを特徴とする。
【００１７】
また、前記情報記録媒体の製造方法であって、
前記コア層に前記アンテナを形成する工程と、
前記コア層に前記材料からなる層を形成する工程と、
前記コア層に前記ＩＣモジュールを搭載する工程と、
前記ＩＣモジュールに書き込まれた情報を読み取る工程と、
前記ＩＣモジュールから読み取られた情報が表現される形状に前記層をレーザにより加工する工程とを有することを特徴とする。
【００１８】
また、コア層を挟むように複数の層が積層されてなる情報記録媒体であって、前記コア層は、所定の情報が表現される形状に凹部が形成されていることを特徴とする。
【００１９】
また、前記コア層の一方の面に形成されたコイル状のアンテナと、
前記コア層のアンテナが形成された面に前記アンテナと接続されるように搭載されたＩＣモジュールとを有することを特徴とする。
【００２０】
また、前記コア層に前記アンテナを形成する工程と、
前記コア層に前記ＩＣモジュールを搭載する工程と、
前記ＩＣモジュールに書き込まれた情報を読み取る工程と、
前記ＩＣモジュールから読み取られた情報が表現される形状に、前記凹部を前記コア層に形成する工程とを有することを特徴とする。
【００２１】
（作用）
上記のように構成された本発明においては、コア層を挟むように複数の層が積層されてなる情報記録媒体において、コア層には、Ｘ線により検出可能な材料からなる層が表面に形成された領域が設けられ、かつ、その層は、所定の情報が表現される形状にレーザにより加工されている。
【００２２】
このようなコア層が複数の層に挟まれるように積層されてなる情報記録媒体においては、Ｘ線を照射すれば、レーザによって加工された層により表現される情報が外部から認識可能となるので、情報記録媒体を管理するための情報が表現されるように層を加工すれば、該情報を情報記録媒体の表面に印字する必要がなくなり、それにより、情報記録媒体を管理するための情報を情報記録媒体の表面に印字することによるデザイン性を低下を回避することができる。
【００２３】
また、コア層にＩＣモジュールが搭載された情報記録媒体においては、ＩＣモジュールやコア層単体を管理するための情報が表現されるようにレーザにより層を加工しておけば、Ｘ線を照射することによりこの情報が外部から認識可能となるため、ＩＣモジュールやコア層単体の非破壊管理を行うことができるようになる。
【００２４】
また、コア層を挟むように複数の層が積層されてなる情報記録媒体のコア層において、所定の情報が表現される形状に凹部が形成されている場合は、情報記録媒体の表面あるいは裏面から超音波を照射すれば、その反射率及び反射面までの距離の違いから所定の情報が外部から認識可能となる。これにより、情報記録媒体を管理するための情報が表現されるように凹部を形成すれば、該情報を情報記録媒体の表面に印字する必要がなくなり、それにより、情報記録媒体を管理するための情報を情報記録媒体の表面に印字することによるデザイン性を低下を回避することができる。
【００２５】
また、コア層にＩＣモジュールが搭載された情報記録媒体においては、ＩＣモジュールやコア層単体を管理するための情報が表現されるように凹部を形成しておけば、超音波を照射することによりこの情報が外部から認識可能となるため、ＩＣモジュールやコア層単体の非破壊管理を行うことができるようになる。
【００２６】
【発明の実施の形態】
以下に、本発明の実施の形態について図面を参照して説明する。
【００２７】
（第１の実施の形態）
図１は、本発明の情報記録媒体の第１の実施の形態である非接触型ＩＣカードを示す図であり、（ａ）は表面構造を示す図、（ｂ）は内部構造を示す図、（ｃ）は積層構造を示す図である。
【００２８】
本形態は図１に示すように、樹脂シート１１５上において、外部からの情報の書き込み及び読み出しが可能なＩＣモジュール１１１が搭載されるとともに、接点１１４を介してＩＣモジュール１１１と接続され、外部に設けられた情報書込／読出装置（不図示）からの電磁誘導によりＩＣモジュール１１１に電流を供給し、ＩＣモジュール１１１に対する情報の書き込み及び読み出しを非接触状態にて行うための導電性のアンテナ１１２がコイル状に形成されたコア層であるインレット１１０と、ＰＥＴ等からなり、インレット１１０を挟むように積層された中間層１２０ａ，１２０ｂと、透明フィルム層からなり、互いに積層されたインレット１１０と中間層１２０ａ，１２０ｂとを挟むように積層された表面シート１３０ａ，１３０ｂとから構成されており、インレット１１０と中間層１２０ａ，１２０ｂ、並びに、中間層１２０ａ，１２０ｂと表面シート１３０ａ，１３０ｂとはそれぞれ接着剤層（不図示）によって互いに接着されている。さらに、インレット１１０においては、樹脂シート１１５上の所定の領域が、銀からなるＡｇ層１１６が積層された識別情報領域１１３となっており、さらに、この識別情報領域１１３において、レーザによりＡｇ層１１６及び樹脂シート１１５にレーザ穴１１７が開けられ、このレーザ穴１１７によって識別情報が表現されている。
【００２９】
上記のように構成された非接触型ＩＣカード１００においては、外部に設けられた情報書込／読出装置に近接すると、情報書込／読出装置からの電磁誘導によりアンテナ１１２に電流が流れ、この電流が接点１１４を介してＩＣモジュール１１１に供給され、それにより、非接触状態において、情報書込／読出装置からＩＣモジュール１１１に情報が書き込まれたり、ＩＣモジュール１１１に書き込まれた情報が情報書込／読出装置にて読み出されたりする。
【００３０】
以下に、上述した非接触型ＩＣカード１００の製造方法について説明する。
【００３１】
図２は、図１に示した非接触型ＩＣカード１００の製造方法を説明するための図である。
【００３２】
まず、樹脂シート１１５上にコイル状のアンテナ１１２を形成するとともに、識別情報領域１１３となる部分に銀からなるＡｇ層１１６を形成する（図２（ａ））。
【００３３】
次に、接点１１４を介してアンテナ１１２と電気的に接続されるように、樹脂シート１１５上にＩＣモジュール１１１を搭載する（図２（ｂ））。
【００３４】
次に、樹脂シート１１５上の識別情報領域１１３において、ＩＣモジュール１１１あるいは非接触型ＩＣカード１００を識別するための識別情報を表現するようにレーザ光によってＡｇ層１１６及び樹脂シート１１５にレーザ穴１１７を開け、インレット１１０を完成する（図２（ｃ））。ここで、レーザ穴１１７においては、識別情報を表現するように連続した線として形成するのではなく、複数の穴の羅列によって識別情報を表現するように形成する。これは、レーザ光によって識別情報を表現するように連続してレーザ穴１１７を形成した場合、１箇所におけるレーザ光の照射時間が長くなり、それにより、線幅が広がり、識別情報を認識しにくくなってしまうためである。また、ＩＣモジュール１１１に書き込まれたＩＣモジュール１１１を識別可能な情報を読み取り、この情報に基づいた形状にレーザ穴１１７を形成することも考えられる。
【００３５】
次に、インレット１１０を挟むように中間層１２０ａ，１２０ｂを積層し（図２（ｄ））、さらに、これらを挟むように表面シート１３０ａ，１３０ｂを積層する（図２（ｅ））。
【００３６】
上述した一連の工程によって製造された非接触型ＩＣカード１００においては、樹脂シート１１５上にＡｇ層１１６が積層された識別情報領域１１３において、レーザ穴１１７が形成されることにより、樹脂シート１１５上に形成されたＡｇ層１１６が除去されて所望の情報が表現されているため、このインレット１１０が中間層１２０ａ，１２０ｂ及び表面シート１３０ａ，１３０ｂに挟まれるように積層された後においても、識別情報領域１１３にて表現される識別情報は、Ｘ線を照射することにより外部から認識可能となる。
【００３７】
これにより、ＩＣモジュール１１１やインレット１１０を管理するための情報をレーザ穴１１７により表現するようにレーザ穴１１７を形成すれば、ＩＣモジュール１１１やインレット１１０の非破壊管理を行うことができる。
【００３８】
また、非接触型ＩＣカード１００を管理するための情報をレーザ穴１１７により表現するようにレーザ穴１１７を形成すれば、非接触型ＩＣカード１００を管理するための情報を非接触型ＩＣカード１００の表面に印字する必要がなくなり、非接触型ＩＣカード１００の表面のデザイン性を損ねることがなくなるとともに、そのためのスペースを設ける必要がなくなる。
【００３９】
なお、本形態においては、識別情報領域１１３において、Ａｇ層１１６及び樹脂シート１１５に、レーザによってレーザ穴１１７を形成したが、Ａｇ層１１６のみにレーザ穴１１７を形成するようにレーザを照射すれば十分な効果を得ることができる。
【００４０】
（第２の実施の形態）
図３は、本発明の情報記録媒体の第２の実施の形態である非接触型ＩＣカードを示す図であり、（ａ）は表面構造を示す図、（ｂ）は積層構造を示す図、（ｃ）は（ｂ）に示したインレット２１０の表面構造を示す図、（ｄ）は（ｂ）に示したインレット２１０の裏面構造を示す図である。
【００４１】
本形態は図３に示すように、樹脂シート２１５上において、外部からの情報の書き込み及び読み出しが可能なＩＣモジュール２１１が搭載されるとともに、接点２１４を介してＩＣモジュール２１１と接続され、外部に設けられた情報書込／読出装置（不図示）からの電磁誘導によりＩＣモジュール２１１に電流を供給し、ＩＣモジュール２１１に対する情報の書き込み及び読み出しを非接触状態にて行うための導電性のアンテナ２１２がコイル状に形成されたコア層であるインレット２１０と、ＰＥＴ等からなり、インレット２１０を挟むように積層された中間層２２０ａ，２２０ｂと、透明フィルム層からなり、互いに積層されたインレット２１０と中間層２２０ａ，２２０ｂとを挟むように積層された表面シート２３０ａ，２３０ｂとから構成されており、インレット２１０と中間層２２０ａ，２２０ｂ、並びに、中間層２２０ａ，２２０ｂと表面シート２３０ａ，２３０ｂとはそれぞれ接着剤層（不図示）によって互いに接着されている。さらに、インレット２１０においては、コイル状のアンテナ２１２の一端とＩＣモジュール２１１とを接続するために、アンテナ２１２が形成された面とは反対側の面において、Ａｇ層２１６からなるブリッジ部２１８が形成されており、このブリッジ部２１８において、レーザによりＡｇ層２１６にレーザ穴２１７が開けられ、このレーザ穴２１７によって識別情報が表現されている。
【００４２】
以下に、上記のように構成された非接触型ＩＣカード２００の製造方法について説明する。
【００４３】
図４は、図３に示した非接触型ＩＣカード２００の製造方法を説明するための図である。
【００４４】
まず、樹脂シート２１５上にコイル状のアンテナ２１２を形成する（図４（ａ））。
【００４５】
次に、樹脂シート２１５のアンテナ２１２が形成された面とは反対側の面に、アンテナ２１２の一端とＩＣモジュール２１１とを接続するためのブリッジ部２１８を、Ａｇ層２１６により形成する（図４（ｂ））。また、このブリッジ部２１８は、スルーホール（不図示）を介して、あるいはかしめ等の方法により、樹脂シート２１５の表面から裏面に導通する導通部分を形成し、アンテナ２１２及び接点２１４と接続されることになる。
【００４６】
次に、接点２１４を介してアンテナ１１２と電気的に接続されるように、樹脂シート２１５上にＩＣモジュール２１１を搭載する（図４（ｃ））。
【００４７】
次に、樹脂シート２１５上のブリッジ部２１８において、ＩＣモジュール２１１あるいは非接触型ＩＣカード２００を識別するための識別情報を表現するようにレーザ光によってＡｇ層２１６にレーザ穴２１７を開け、インレット２１０を完成する（図４（ｄ））。ここで、レーザ穴２１７においては、識別情報を表現するように連続した線として形成するのではなく、複数の穴の羅列によって識別情報を表現するように形成する。これは、レーザ光によって識別情報を表現するように連続してレーザ穴２１７を形成した場合、１箇所におけるレーザ光の照射時間が長くなり、それにより、線幅が広がり、識別情報を認識しにくくなってしまうためである。また、ＩＣモジュール２１１に書き込まれたＩＣモジュール２１１を識別可能な情報を読み取り、この情報に基づいた形状にレーザ穴２１７を形成することも考えられる。
【００４８】
次に、インレット２１０を挟むように中間層２２０ａ，２２０ｂを積層し（図４（ｅ））、さらに、これらを挟むように表面シート２３０ａ，２３０ｂを積層する（図４（ｆ））。
【００４９】
上述した一連の工程によって製造された非接触型ＩＣカード２００においては、樹脂シート２１５上にてＡｇ層２１６によって形成されたブリッジ部２１８において、レーザ穴２１７が形成されることにより、樹脂シート２１５上に形成されたＡｇ層２１６が除去されて所望の情報が表現されているため、このインレット２１０が中間層２２０ａ，２２０ｂ及び表面シート２３０ａ，２３０ｂに挟まれるように積層された後においても、ブリッジ部２１８にて表現される識別情報は、Ｘ線を照射することにより外部から認識可能となる。
【００５０】
これにより、ＩＣモジュール２１１やインレット２１０を管理するための情報をレーザ穴２１７により表現するようにレーザ穴２１７を形成すれば、ＩＣモジュール２１１やインレット２１０の非破壊管理を行うことができる。
【００５１】
また、非接触型ＩＣカード２００を管理するための情報をレーザ穴２１７により表現するようにレーザ穴２１７を形成すれば、非接触型ＩＣカード２００を管理するための情報を非接触型ＩＣカード２００の表面に印字する必要がなくなり、非接触型ＩＣカード２００の表面のデザイン性を損ねることがなくなるとともに、そのためのスペースを設ける必要がなくなる。
【００５２】
なお、上述した２つの実施の形態においては、識別情報領域１１３あるいはブリッジ部２１８に銀からなるＡｇ層１１６，２１６を形成したが、本発明は、Ａｇ層に限らず、Ｘ線によって検出可能な材料であれば、例えば、識別情報領域１１３あるいはブリッジ部２１８に銅からなるＣｕ層を形成し、そのＣｕ層にレーザ穴を形成してもよい。
【００５３】
（第３の実施の形態）
図５は、本発明の情報記録媒体の第３の実施の形態である非接触型ＩＣカードを示す図であり、（ａ）は表面構造を示す図、（ｂ）は内部構造を示す図、（ｃ）は積層構造を示す図である。
【００５４】
本形態は図５に示すように、樹脂シート３１５上において、外部からの情報の書き込み及び読み出しが可能なＩＣモジュール３１１が搭載されるとともに、接点３１４を介してＩＣモジュール３１１と接続され、外部に設けられた情報書込／読出装置（不図示）からの電磁誘導によりＩＣモジュール３１１に電流を供給し、ＩＣモジュール３１１に対する情報の書き込み及び読み出しを非接触状態にて行うための導電性のアンテナ３１２がコイル状に形成されたコア層であるインレット３１０と、ＰＥＴ等からなり、インレット３１０を挟むように積層された中間層３２０ａ，３２０ｂと、透明フィルム層からなり、互いに積層されたインレット３１０と中間層３２０ａ，３２０ｂとを挟むように積層された表面シート３３０ａ，３３０ｂとから構成されており、インレット３１０と中間層３２０ａ，３２０ｂ、並びに、中間層３２０ａ，３２０ｂと表面シート３３０ａ，３３０ｂとはそれぞれ接着剤層（不図示）によって互いに接着されている。さらに、インレット３１０においては、樹脂シート３１５上の所定の領域が凹部３１７が形成された識別情報領域３１３となっており、この識別情報領域３１３において凹部３１７によって識別情報が表現されている。
【００５５】
以下に、上述した非接触型ＩＣカード３００の製造方法について説明する。
【００５６】
図６は、図５に示した非接触型ＩＣカード３００の製造方法を説明するための図である。
【００５７】
まず、樹脂シート３１５上にコイル状のアンテナ３１２を形成する（図６（ａ））。
【００５８】
次に、接点３１４を介してアンテナ３１２と電気的に接続されるように、樹脂シート３１５上にＩＣモジュール３１１を搭載する（図６（ｂ））。
【００５９】
次に、樹脂シート３１５上の識別情報領域３１３において、ＩＣモジュール３１１あるいは非接触型ＩＣカード３００を識別するための識別情報を表現するように凹部３１７を形成し、インレット３１０を完成する（図６（ｃ））。なお、ＩＣモジュール３１１に書き込まれたＩＣモジュール３１１を識別可能な情報を読み取り、この情報に基づいた形状に凹部３１７を形成することも考えられる。
【００６０】
次に、インレット３１０を挟むように中間層３２０ａ，３２０ｂを積層し（図６（ｄ））、さらに、これらを挟むように表面シート３３０ａ，３３０ｂを積層する（図６（ｅ））。
【００６１】
上述した一連の工程によって製造された非接触型ＩＣカード３００においては、樹脂シート３１５上の識別情報領域３１３において、凹部３１７が形成されることにより所望の情報が表現されているため、この非接触型ＩＣカード３００の表面あるいは裏面から超音波を照射すれば、その反射率及び反射面までの距離の違いから凹部３１７の形状を認識することができる。これにより、このインレット３１０が中間層３２０ａ，１２０ｂ及び表面シート３３０ａ，３３０ｂに挟まれるように積層された後においても、識別情報領域３１３にて表現される識別情報は、超音波を照射することにより外部から認識可能となる。
【００６２】
これにより、ＩＣモジュール３１１やインレット３１０を管理するための情報を凹部３１７により表現するように凹部３１７を形成すれば、ＩＣモジュール３１１やインレット３１０の非破壊検査を行うことができる。
【００６３】
また、非接触型ＩＣカード３００を管理するための情報を凹部３１７により表現するように凹部３１７を形成すれば、非接触型ＩＣカード３００を管理するための情報を非接触型ＩＣカード３００の表面に印字する必要がなくなり、非接触型ＩＣカード３００の表面のデザイン性を損ねることがなくなるとともに、そのためのスペースを設ける必要がなくなる。
【００６４】
なお、本形態においては、樹脂シート３１５上において、所定の情報が表現される形状に凹部３１７を形成したが、樹脂シート３１５に対して、所定の情報が表現される形状に穴を形成することも考えられる。
【００６５】
また、微細な凹部３１７や穴によって二次元コードを表現するような構成とすれば、狭い領域にて所定の情報を表現することができる。
【００６６】
また、上述した第１及び第３の実施の形態においては、情報記録媒体として非接触型ＩＣカードを例に挙げて説明したが、本発明はこれに限らず、インレット等のコア層が複数の層に挟まれるように複数の層が積層されて構成される情報記録媒体であれば適用することができる。
【００６７】
【発明の効果】
以上説明したように本発明においては、コア層を挟むように複数の層が積層されてなる情報記録媒体において、コア層に、Ｘ線により検出可能な材料からなる層が表面に形成された領域が設けられ、さらに、この層が、所定の情報が表現される形状にレーザにより加工されているため、情報記録媒体の外部からＸ線を照射することにより、外部から視認不可能な領域に形成された情報を認識可能とすることができ、それにより、外部から視認不可能な領域に形成された情報を用いて情報記録媒体の管理等を行うことができる。
【００６８】
また、コア層を挟むように複数の層が積層されてなる情報記録媒体のコア層において、所定の情報が表現される形状に凹部が形成されているものにおいては、情報記録媒体の外部から超音波を照射することにより、外部から視認不可能な領域に形成された情報を認識可能とすることができ、それにより、外部から視認不可能な領域に形成された情報を用いて情報記録媒体の管理等を行うことができる。
【図面の簡単な説明】
【図１】本発明の情報記録媒体の第１の実施の形態である非接触型ＩＣカードを示す図であり、（ａ）は表面構造を示す図、（ｂ）は内部構造を示す図、（ｃ）は積層構造を示す図である。
【図２】図１に示した非接触型ＩＣカードの製造方法を説明するための図である。
【図３】本発明の情報記録媒体の第２の実施の形態である非接触型ＩＣカードを示す図であり、（ａ）は表面構造を示す図、（ｂ）は積層構造を示す図、（ｃ）は（ｂ）に示したインレットの表面構造を示す図、（ｄ）は（ｂ）に示したインレットの裏面構造を示す図である。
【図４】図３に示した非接触型ＩＣカードの製造方法を説明するための図である。
【図５】本発明の情報記録媒体の第３の実施の形態である非接触型ＩＣカードを示す図であり、（ａ）は表面構造を示す図、（ｂ）は内部構造を示す図、（ｃ）は積層構造を示す図である。
【図６】図５に示した非接触型ＩＣカードの製造方法を説明するための図である。
【図７】従来の非接触型ＩＣカードの一例を示す図であり、（ａ）は表面構造を示す図、（ｂ）は内部構造を示す図、（ｃ）は積層構造を示す図である。
【符号の説明】
１００，２００，３００　　非接触型ＩＣカード
１１０，２１０，３１０　　インレット
１１１，２１１，３１１　　ＩＣモジュール
１１２，２１２，３１２　　アンテナ
１１３，３１３　　識別情報領域
１１４，２１４，３１４　　接点
１１５，２１５，３１５　　樹脂シート
１１６，２１６　　Ａｇ層
１１７，２１７　　レーザ穴
１２０ａ，１２０ｂ，２２０ａ，２２０ｂ，３２０ａ，３２０ｂ　　中間層
１３０ａ，１３０ｂ，２３０ａ，２３０ｂ，３３０ａ，３３０ｂ　　表面シート
２１８　　ブリッジ部
３１７　　凹部
【図１】
2004021701.tif 000003
【図２】
2004021701.tif 000004
【図３】
2004021701.tif 000005
【図４】
2004021701.tif 000006
【図５】
2004021701.tif 000007
【図６】
2004021701.tif 000008
【図７】
2004021701.tif 000009